(57)【要約】【課題】無駄な消費電力を抑えて且つ効率的な表示書き換えを行う。【解決手段】表示装置６０は、受信したトリガ信号に基づいて電力を発生させるトリガ受信部６２と、トリガ受信部６２が発生させた電力に基づいて、電池部６１から、制御部６５、データ通信部６４、および表示部６６への電力の供給を開始させる電池制御部６３と、を備え、電池部６１から、制御部６５、データ通信部６４、および表示部６６への電力の供給開始後、制御部６５が、データ通信部６４により受信するデータを取り込み、そのデータを表示部６６に表示させる。【選択図】図３
2014155179.tif 000002
【特許請求の範囲】
【請求項１】
受信したトリガ信号に基づいて電力を発生させるトリガ受信部と、
前記トリガ受信部が発生させた前記電力に基づいて、電池部から、制御部、データ通信部、および表示部への電力の供給を開始させる電池制御部と、
を備え、
前記電池部から、前記制御部、前記データ通信部、および前記表示部への前記電力の供給開始後、前記制御部が、前記データ通信部により受信するデータを取り込み、前記データを前記表示部に表示させる、
ことを特徴とする表示装置。
【請求項２】
前記トリガ受信部は、受信した前記トリガ信号から識別情報を抽出し、前記識別情報を前記電池制御部に供給し、
前記電池制御部は、当該表示装置を識別する自装置識別情報をあらかじめ有し、前記トリガ受信部が供給する前記識別情報を取り込み、前記識別情報と前記自装置識別情報とが一致する場合に、前記電池部から、前記制御部、前記データ通信部、および前記表示部への前記電力の供給を開始させる、
ことを特徴とする請求項１記載の表示装置。
【請求項３】
前記電池部から、前記制御部、前記データ通信部、および前記表示部への前記電力の供給開始後、前記制御部は、前記データ通信部により受信するデータを取り込み、前記データから識別情報を抽出して前記識別情報を前記電池制御部に供給し、
前記電池制御部は、当該表示装置を識別する自装置識別情報をあらかじめ有し、前記制御部が供給する前記識別情報を取り込み、前記識別情報と前記自装置識別情報とが一致しない場合に、前記電池部から、前記制御部、前記データ通信部、および前記表示部への前記電力の供給を停止させる、
ことを特徴とする請求項１記載の表示装置。
【請求項４】
前記制御部は、前記データを前記表示部に表示させた後、前記電池部から、前記制御部、前記データ通信部、および前記表示部への前記電力の供給を停止させる停止指示を前記電池制御部に供給し、
前記電池制御部は、前記制御部が供給する前記停止指示に応じて、前記電池部から、前記制御部、前記データ通信部、および前記表示部への前記電力の供給を停止させる、
ことを特徴とする請求項１〜３いずれか一項記載の表示装置。
【請求項５】
前記制御部は、前記データを前記表示部に表示させた後、応答信号を前記データ通信部から外部の管理装置に送信させ、前記管理装置が前記応答信号を受信したことに応じて送信する停止指示信号を前記データ通信部により受信した場合に、前記電池部から、前記制御部、前記データ通信部、および前記表示部への前記電力の供給を停止させる停止指示を前記電池制御部に供給し、
前記電池制御部は、前記制御部が供給する前記停止指示に応じて、前記電池部から、前記制御部、前記データ通信部、および前記表示部への前記電力の供給を停止させる、
ことを特徴とする請求項１〜３いずれか一項記載の表示装置。
【請求項６】
前記トリガ信号は、第１の周波数帯で振動する第１の搬送波を含み、
前記データは、前記第１の周波数帯よりも高い第２の周波数帯で振動する第２の搬送波を含む、
ことを特徴とする請求項１〜５いずれか一項記載の表示装置。
【請求項７】
管理装置および表示装置を含む表示システムにおいて、
前記管理装置は、
トリガ信号を生成し、前記トリガ信号を送信するトリガ供給部と、
データを送信するデータ送信部と、を備え、
前記表示装置は、
前記トリガ供給部が送信する前記トリガ信号を受信して電力を発生させるトリガ受信部と、
前記トリガ受信部が発生させた前記電力に基づいて、電池部から、制御部、データ通信部、および表示部への電力の供給を開始させる電池制御部と、を備え、
前記電池部から、前記制御部、前記データ通信部、および前記表示部への前記電力の供給開始後、前記データ送信部が送信する前記データを、前記データ通信部により受信した場合に、前記制御部が前記データ通信部から前記データを取り込み、前記データを前記表示部に表示させる、
ことを特徴とする表示システム。
【発明の詳細な説明】
【技術分野】
【０００１】
本発明は、表示装置および表示システムに関する。
【背景技術】
【０００２】
例えば、商品の販売店舗において、展示される商品に対する値札を小型ディスプレイパネルにより構成した電子棚札が実用化されている。また、例えば、倉庫の物流ラインや工場の製造ラインにおいて、物品やアセンブリに付される指示書や成績書等を小型ディスプレイパネルにより構成した電子看板も実用化されている。大型のスーパーマーケットや等では、多数の電子棚札が商品棚に配設されることが多い。工場や物流倉庫等においても、多数の電子看板が用いられることが多い。よって、多数の電子棚札や電子看板に内蔵される電池の交換作業は非常に煩雑で手間であるため、電池寿命をできるだけ長くしたいとの要望がある。一方で、これら電子棚札および電子看板は、表示内容を定期または不定期に変更することが多い。よって、外部装置が電子棚札および電子看板に書き換え用の表示データを供給し、表示パネルの表示内容を書き換えることが行われる。電子棚札および電子看板のこのような動作によれば、電池の電力消費量が多くなる。
【０００３】
従来、無線通信装置から電子値札にトリガ信号を供給するトリガ信号伝送路と、無線通信装置と電子値札との間でデータ通信を行うデータ通信伝送路とを有し、電子値札が、トリガ信号を受信した場合に、データ通信伝送路を動作させて無線通信装置と電子値札との間でデータ通信を行う無線通信システムが知られている（例えば、特許文献１参照）。
【先行技術文献】
【特許文献】
【０００４】
【特許文献１】特開２００５−２９５４５３号公報
【発明の概要】
【発明が解決しようとする課題】
【０００５】
しかしながら、特許文献１に開示された電子値札は、トリガ信号伝送路を介してトリガ信号を受信するトリガ受信部も電池から電力を消費するため、データ通信伝送路を動作させていないスリープモードにおいても、電池から電力を消費することとなる。
【０００６】
そこで、本発明は、上記事情に鑑みてなされたものであり、無駄な消費電力を抑えて且つ効率的な表示書き換えを行うことができる、表示装置および表示システムを提供することを目的とする。
【課題を解決するための手段】
【０００７】
［１］上記の課題を解決するため、本発明の一態様である表示装置は、受信したトリガ信号に基づいて電力を発生させるトリガ受信部と、前記トリガ受信部が発生させた前記電力に基づいて、電池部から、制御部、データ通信部、および表示部への電力の供給を開始させる電池制御部と、を備え、前記電池部から、前記制御部、前記データ通信部、および前記表示部への前記電力の供給開始後、前記制御部が、前記データ通信部により受信するデータを取り込み、前記データを前記表示部に表示させる、ことを特徴とする。
［２］上記［１］記載の表示装置において、前記トリガ受信部は、受信した前記トリガ信号から識別情報を抽出し、前記識別情報を前記電池制御部に供給し、前記電池制御部は、当該表示装置を識別する自装置識別情報をあらかじめ有し、前記トリガ受信部が供給する前記識別情報を取り込み、前記識別情報と前記自装置識別情報とが一致する場合に、前記電池部から、前記制御部、前記データ通信部、および前記表示部への前記電力の供給を開始させる、ことを特徴とする。
［３］上記［１］記載の表示装置において、前記電池部から、前記制御部、前記データ通信部、および前記表示部への前記電力の供給開始後、前記制御部は、前記データ通信部により受信するデータを取り込み、前記データから識別情報を抽出して前記識別情報を前記電池制御部に供給し、前記電池制御部は、当該表示装置を識別する自装置識別情報をあらかじめ有し、前記制御部が供給する前記識別情報を取り込み、前記識別情報と前記自装置識別情報とが一致しない場合に、前記電池部から、前記制御部、前記データ通信部、および前記表示部への前記電力の供給を停止させる、ことを特徴とする。
［４］上記［１］〜［３］いずれか一項記載の表示装置において、前記制御部は、前記データを前記表示部に表示させた後、前記電池部から、前記制御部、前記データ通信部、および前記表示部への前記電力の供給を停止させる停止指示を前記電池制御部に供給し、前記電池制御部は、前記制御部が供給する前記停止指示に応じて、前記電池部から、前記制御部、前記データ通信部、および前記表示部への前記電力の供給を停止させる、ことを特徴とする。
［５］上記［１］〜［３］いずれか一項記載の表示装置において、前記制御部は、前記データを前記表示部に表示させた後、応答信号を前記データ通信部から外部の管理装置に送信させ、前記管理装置が前記応答信号を受信したことに応じて送信する停止指示信号を前記データ通信部により受信した場合に、前記電池部から、前記制御部、前記データ通信部、および前記表示部への前記電力の供給を停止させる停止指示を前記電池制御部に供給し、前記電池制御部は、前記制御部が供給する前記停止指示に応じて、前記電池部から、前記制御部、前記データ通信部、および前記表示部への前記電力の供給を停止させる、ことを特徴とする。
［６］上記［１］〜［５］いずれか一項記載の表示装置において、前記トリガ信号は、第１の周波数帯で振動する第１の搬送波を含み、前記データは、前記第１の周波数帯よりも高い第２の周波数帯で振動する第２の搬送波を含む、ことを特徴とする。
【０００８】
［７］上記の課題を解決するため、本発明の一態様である表示システムは、管理装置および表示装置を含む表示システムにおいて、前記管理装置は、トリガ信号を生成し、前記トリガ信号を送信するトリガ供給部と、データを送信するデータ送信部と、を備え、前記表示装置は、前記トリガ供給部が送信する前記トリガ信号を受信して電力を発生させるトリガ受信部と、前記トリガ受信部が発生させた前記電力に基づいて、電池部から、制御部、データ通信部、および表示部への電力の供給を開始させる電池制御部と、を備え、前記電池部から、前記制御部、前記データ通信部、および前記表示部への前記電力の供給開始後、前記データ送信部が送信する前記データを、前記データ通信部により受信した場合に、前記制御部が前記データ通信部から前記データを取り込み、前記データを前記表示部に表示させる、ことを特徴とする。
【発明の効果】
【０００９】
本発明によれば、無駄な消費電力を抑えて且つ効率的な表示書き換えを行うことができ、効率的な電子棚札デバイスを実現できる。
【図面の簡単な説明】
【００１０】
【図１】本発明の第１実施形態である表示システムの概略の構成を示すブロック図である。
【図２】同実施形態におけるサーバ装置の機能構成を示すブロック図である。
【図３】同実施形態における表示装置の機能構成を示すブロック図である。
【図４】同実施形態における表示システムの動作手順を示すフローチャートである。
【図５】同実施形態における表示システムの動作手順を示すフローチャートである。
【図６】本発明の第２実施形態におけるサーバ装置の機能構成を示すブロック図である。
【図７】同実施形態における表示装置の機能構成を示すブロック図である。
【図８】同実施形態における表示システムの動作手順を示すフローチャートである。
【図９】本発明の第３実施形態におけるサーバ装置の機能構成を示すブロック図である。
【図１０】同実施形態における表示装置の機能構成を示すブロック図である。
【図１１】同実施形態における表示システムにおいて、サーバ装置が表示装置に二段階でデータ信号を送信する場合の、動作手順を示すフローチャートである。
【図１２】本発明の第４実施形態におけるサーバ装置の機能構成を示すブロック図である。
【図１３】同実施形態におけるサーバ装置の動作手順を示すフローチャートである。
【発明を実施するための形態】
【００１１】
以下、本発明を実施するための形態について、図面を参照して詳細に説明する。
［第１の実施の形態］
図１は、本発明の第１実施形態である表示システムの概略の構成を示すブロック図である。同図に示すように、表示システムは、端末装置１０と、サーバ装置（管理装置）２０と、トリガ送信基地局４０と、データ通信基地局５０と、表示装置６０−１，６０−２，６０−３とを含んで構成される。
【００１２】
以下の説明において、表示装置６０−１，６０−２，６０−３それぞれを、表示装置６０と呼ぶことがある。なお、図１には、説明の便宜上、１台のトリガ送信基地局４０と、１台のデータ通信基地局５０と、３台の表示装置６０とを示した。これらトリガ送信基地局４０、データ通信基地局５０、および表示装置の台数は、表示システムの規模、後述するトリガ信号およびデータ信号の電波到達距離等に応じて適宜決められるものであり、同図の例に限定されない。
【００１３】
端末装置１０は、表示装置６０−１，６０−２，６０−３のうち所望の表示装置６０の表示内容を変更させる場合に、その表示装置６０を特定し、その表示装置６０に対する新たな表示内容を示すデータ（表示書換データ）を入力する操作端末である。このデータは、例えば、文字情報、画像情報である。端末装置１０は、特定した表示装置６０を識別する識別情報と、その表示装置６０に対する表示書換データとを関連付けた表示情報を、サーバ装置２０に送信する。端末装置１０は、例えば、コンピュータ装置、タブレット端末、スマートフォン等の情報端末により実現される。
【００１４】
サーバ装置２０は、端末装置１０が送信した表示情報を受信し、この表示情報を記憶する。サーバ装置２０は、表示情報に含まれる識別情報を用いてトリガ信号を生成し、このトリガ信号をトリガ送信基地局４０に送信する。トリガ信号は、表示装置６０に無線給電（ワイヤレス給電）により電力供給を開始させる信号であるとともに、表示対象の表示装置６０を指定する信号である。トリガ信号に識別情報を含めることにより、サーバ装置２０は、複数の表示装置６０を管理することができる。
【００１５】
サーバ装置２０は、表示装置６０が送信するトリガ応答信号（第１の応答信号）を受信し、このトリガ応答信号に含まれる識別情報をキーとして、記憶された複数の表示情報の中からそのキーに対応する表示情報を抽出する。サーバ装置２０は、抽出した表示情報を用いてデータ信号を生成し、このデータ信号をデータ通信基地局５０に送信する。サーバ装置２０は、例えば、コンピュータ装置により実現される。
【００１６】
トリガ送信基地局４０は、サーバ装置２０が送信するトリガ信号を受信し、このトリガ信号を表示装置６０−１，６０−２，６０−３に電波により送信する。
【００１７】
データ通信基地局５０は、サーバ装置２０が送信するデータ信号を受信し、このデータ信号を表示装置６０−１，６０−２，６０−３に電波により送信する。また、データ通信基地局５０は、表示装置６０−１，６０−２，６０−３が送信するトリガ応答信号およびデータ応答信号（第２の応答信号）を受信し、これらトリガ応答信号およびデータ応答信号をサーバ装置２０に送信する。トリガ送信基地局４０およびデータ通信基地局５０は、アクセスポイントである。
【００１８】
表示装置６０は、アクティブモードまたはスリープモードいずれかに設定されて動作する電子表示媒体である。アクティブモードは、内蔵する電池が供給する電力によって各回路を駆動させることにより、表示装置６０を動作させる動作モードである。これに対し、スリープモードは、電池から、表示を書き換える機能とデータ信号を通信する機能とを実現する回路への電力供給を停止させた状態の動作モードである。
【００１９】
表示装置６０は、初期状態として、スリープモードに設定されて動作する。スリープモードで動作する表示装置６０は、トリガ送信基地局４０が送信するトリガ信号を受信することに応じて電力を発生させ、この電力に基づいてトリガ信号から識別情報を抽出する。そして、表示装置６０は、その識別情報と自装置があらかじめ有する自装置識別情報とを比較することにより、自装置向けの起動指示であるか否かを判定する。自装置向けの起動指示である場合、表示装置６０は、自装置をスリープモードからアクディブモードに切り換える。アクティブモードに切り替えられた表示装置６０は、自装置識別情報を含めたトリガ応答信号をデータ通信基地局５０に送信する。
【００２０】
アクティブモードで動作する表示装置６０は、データ通信基地局５０が送信するデータ信号を受信する。そして、表示装置６０は、データ信号から得られる表示情報に含まれる識別情報と、自装置識別情報とを比較することにより、表示情報に含まれる表示書換データが自装置向けのデータであるか否かを判定する。表示書換データが自装置向けのデータである場合、表示装置６０は、その表示書換データを用いて表示を書き換える。そして、表示装置６０は、書き換えが完了した後に、自装置識別情報を含めたデータ応答信号を送信する。さらに、表示装置６０は、データ応答信号を送信した後、アクティブモードからスリープモードに切り換える。表示装置６０は、例えば、電子ペーパ、メモリタイプの液晶ディスプレイを用いたディスプレイ装置により実現される。
【００２１】
図２は、第１実施形態におけるサーバ装置２０の機能構成を示すブロック図である。同図に示すように、サーバ装置２０は、表示情報受信部２１と、表示情報記憶部２２と、トリガ生成部２３と、トリガ送信部２４と、応答受信部２５と、制御部２６と、データ送信部２７とを備える。
【００２２】
表示情報受信部２１は、端末装置１０が送信する表示情報を受信し、この表示情報を表示情報記憶部２２に記憶させる。
表示情報記憶部２２は、表示情報受信部２１が供給する表示情報を記憶する。表示情報記憶部２２は、例えば、磁気ハードディスク装置、半導体ディスク装置により実現される。
【００２３】
トリガ生成部２３は、表示情報受信部２１が表示情報記憶部２２に記憶させた表示情報に含まれる識別情報を用いてトリガ信号を生成し、このトリガ信号をトリガ送信部２４に供給する。トリガ信号は、第１の周波数帯で振動する第１の搬送波（バースト信号）を、識別情報で変調して得られる信号である。第１の搬送波は、例えば、１３．５６ＭＨｚ帯（第１の周波数帯）で振動する正弦波である。トリガ信号の変調方式として、例えば、振幅偏移変調（ａｍｐｌｉｔｕｄｅ−ｓｈｉｆｔ  ｋｅｙｉｎｇ；ＡＳＫ）またはオンオフ変調（ｏｎ−ｏｆｆ−ｋｅｙｉｎｇ；ＯＯＫ）が適用できる。
【００２４】
トリガ送信部２４は、トリガ生成部２３が供給するトリガ信号を取り込み、このトリガ信号をトリガ送信基地局４０に送信する。
【００２５】
応答受信部２５は、データ通信基地局５０が送信するトリガ応答信号を受信し、このトリガ応答信号を制御部２６に供給する。また、応答受信部２５は、データ通信基地局５０が送信するデータ応答信号を受信し、このデータ応答信号を制御部２６に供給する。
【００２６】
制御部２６は、応答受信部２５が供給するトリガ応答信号を取り込むと、このトリガ応答信号から識別情報を抽出する。そして、制御部２６は、その識別情報を含む表示情報を表示情報記憶部２２から読み込む。そして、制御部２６は、読み込んだ表示情報を用いてデータ信号を生成し、このデータ信号をデータ送信部２７に供給する。データ信号は、上記の第１の周波数帯よりも高い第２の周波数帯で振動する第２の搬送波（バースト信号）を、表示情報で変調して得られる信号である。第２の搬送波は、例えば、２．４５ＧＨｚ帯（第２の周波数帯）で振動する正弦波である。データ信号の変調方式として、例えば、振幅偏移変調、周波数偏移変調（Ｆｒｅｑｕｅｎｃｙ−ｓｈｉｆｔ  Ｋｅｙｉｎｇ、ＦＳＫ）またはオンオフ変調が適用できる。
【００２７】
制御部２６は、図示しない計時部（時計）を内蔵している。制御部２６は、トリガ生成部２３がトリガ信号を生成したときから計時部による計時を開始する。そして、制御部２６は、第１の待ち時間（例えば、５秒間）が経過した場合であって、応答受信部２５から当該トリガ信号に対応するトリガ応答信号が供給されていない場合に、トリガ生成部２３に再度、トリガ信号を生成させ、トリガ送信部２４にトリガ信号を再送させる。制御部２６は、トリガ信号を生成した回数またはトリガ信号を送信した回数を計数する。そして、制御部２６は、その回数が第１の再送回数（例えば、３回）になった場合であって、応答受信部２５から当該トリガ信号に対応するトリガ応答信号が供給されていない場合に、トリガ信号の表示装置６０への受け渡しがエラーになったと判断する。なお、サーバ装置２０は、そのエラーを示す情報を端末装置１０に送信してもよい。
【００２８】
また、制御部２６は、応答受信部２５が供給するデータ応答信号を取り込み、このデータ応答信号から識別情報を抽出する。そして、制御部２６は、その識別情報を含む表示情報を表示情報記憶部２２から削除する。
【００２９】
制御部２６は、データ信号を生成したときから計時部による計時を開始する。そして、制御部２６は、第２の待ち時間（例えば、８秒間）が経過した場合であって、応答受信部２５から当該データ信号に対応するデータ応答信号が供給されていない場合に、再度、データ信号を生成し、データ送信部２７にデータ信号を再送させる。制御部２６は、データ信号を生成した回数またはデータ信号を送信した回数を計数する。そして、制御部２６は、その回数が第２の再送回数（例えば、５回）になった場合であって、応答受信部２５から当該データ信号に対応するデータ応答信号が供給されていない場合に、データ信号の表示装置６０への受け渡しがエラーになったと判断する。なお、サーバ装置２０は、そのエラーを示す情報を端末装置１０に送信してもよい。
【００３０】
データ送信部２７は、制御部２６が供給するデータ信号を取り込み、このデータ信号をデータ通信基地局５０に送信する。
【００３１】
図３は、第１実施形態における表示装置６０の機能構成を示すブロック図である。同図に示すように、表示装置６０は、電池部６１と、トリガ受信部６２と、電池制御部６３と、データ通信部６４と、制御部６５と、表示部６６とを備える。
【００３２】
表示装置６０がスリープモードに設定されているとき、電池部６１は、電池制御部６３のみに電力を供給する。これに対し、表示装置６０がアクティブモードに設定されているとき、電池部６１は、電池制御部６３、データ通信部６４、制御部６５、および表示部６６に電力を供給する。図３において、破線で示された結線は、表示装置６０がアクティブモードに設定されたときのみ、電池部６１によって電力が供給されるラインを示している。電池部６１は、例えば、コイン形（ボタン形）のリチウム電池により実現される。なお、スリープモードの設定は、電池部６１は電池制御部６３以外の表示部等に対して迅速に動作できる（スタンバイ状態）だけの電力を供給し続ける設定としても良い。これにより、電力の使用を低減しつつ、迅速な書換え動作を行うことができる。
【００３３】
トリガ受信部６２は、トリガ送信基地局４０が送信するトリガ信号を受信することによって電力を発生させる。つまり、トリガ受信部６２は、無線給電のインタフェースである。具体的に、トリガ受信部６２は、例えば、電波受信方式による無線給電を実現する。すなわち、トリガ受信部６２は、受信したトリガ信号の交流成分を整流回路で直流成分に変換してその直流電力を得る。トリガ受信部６２は、発生させた電力によって動作し、トリガ信号から識別情報を復調し、この識別情報を電池制御部６３に供給する。なお、トリガ受信部６２は識別情報と合わせて発生させた電力も電池制御部６３に供給しても良い。
【００３４】
電池制御部６３は、トリガ受信部６２又は電池部６１から供給される電力により動作状態となり、その後の動作もトリガ受信部６２又は電池部６１から供給される電力により動作される。電池制御部６３は、自装置を識別する自装置識別情報を、内蔵する記憶部（不図示）にあらかじめ記憶させている。電池制御部６３は、トリガ受信部６２が供給する識別情報を取り込み、この識別情報と記憶部に記憶された自装置識別情報とを比較する。そして、識別情報と自装置識別情報とが一致する場合、電池制御部６３は、表示装置６０をスリープモードからアクティブモードに切り換える。具体的に、識別情報と自装置識別情報とが一致する場合、電池制御部６３は、電池部６１から、データ通信部６４、制御部６５、および表示部６６への電力の供給を開始させる。
【００３５】
また、電池制御部６３は、制御部６５が供給する停止指示を取り込むと、表示装置６０をアクティブモードからスリープモードに切り換える。具体的に、電池制御部６３は、制御部６５が供給する停止指示を取り込むと、電池部６１から、データ通信部６４、制御部６５、および表示部６６への電力の供給を停止又は各部がスタンバイ状態となる最低限の電力供給に変更する。
【００３６】
データ通信部６４は、データ通信基地局５０が送信するデータ信号を受信し、このデータ信号を復調して表示情報を抽出し、この表示情報を制御部６５に供給する。また、データ通信部６４は、制御部６５が供給するトリガ応答信号を取り込み、このトリガ応答信号をデータ信号基地局５０に送信する。また、データ通信部６４は、制御部６５が供給するデータ応答信号を取り込み、このデータ応答信号をデータ信号基地局５０に送信する。
【００３７】
制御部６５は、電池部６１から電力の供給を受けて起動すると、電池制御部６３の記憶部から自装置識別情報を読み込む。そして、制御部６５は、その自装置識別情報を含めたトリガ応答信号をデータ通信部６４に供給する。
【００３８】
また、制御部６５は、データ通信部６４が供給する表示情報を取り込むと、この表示情報に含まれる識別情報と、自装置識別情報とを比較する。識別情報と自装置識別情報とが一致する場合、制御部６５は、表示情報に含まれる表示書換データで、表示部６６の表示を書き換える。そして、制御部６５は、表示部６６の表示の書き換えを行った後、自装置識別情報を含めたデータ応答信号をデータ通信部６４に供給する。そして、制御部６５は、停止指示を電池制御部６３に供給する。一方、識別情報と自装置識別情報とが一致しない場合、制御部６５は、表示部６６の表示の書き換えを実行しない。このように構成することにより、表示部６６の表示を書き換えた後すぐに、自装置をスリープモードに切り換えるため、電池部６１の無駄な電力消費を抑えることができる。
【００３９】
表示部６６は、制御部６５により、表示書換データで表示内容を書き換える。表示部６６は、例えば、電子ペーパにより実現される。電子ペーパとして、例えば、マイクロカプセル型電気泳動方式を適用することができる。この電子ペーパは、電力を供給しない状態でも表示を保持することができる。よって、この電子ペーパを表示部６６に適用することにより、表示装置６０をスリープモードに設定して表示部６６への電力の供給を停止したときでも、表示部６６は、表示状態を保つことができる。
【００４０】
図４および図５は、第１実施形態における表示システムの動作手順を示すフローチャートである。これら両図において、トリガ送信基地局４０およびデータ通信基地局５０がそれぞれ実行するサーバ装置２０および表示装置６０間の信号伝送の中継処理については、図示を省略してある。
【００４１】
図４は、端末装置１０に表示情報が入力されるステップから、表示装置６０がアクティブモードに設定されるステップまでの概略のフローチャートである。
まず、端末装置１０の動作について説明する。
ステップＳ１において、端末装置１０の操作者による操作部（例えば、キーボード、マウス等）の操作にしたがって、表示情報が入力される。
次に、ステップＳ２において、端末装置１０は、入力された表示情報をサーバ装置２０に送信する。
【００４２】
次に、サーバ装置２０の動作について説明する。
ステップＳ１１において、表示情報受信部２１は、ステップＳ２の処理によって端末装置１０が送信した表示情報を受信し、この表示情報を表示情報記憶部２２に記憶させる。
次に、ステップＳ１２において、トリガ生成部２３は、表示情報受信部２１が表示情報記憶部２２に記憶させた表示情報に含まれる識別情報を用いてトリガ信号を生成し、このトリガ信号をトリガ送信部２４に供給する。
【００４３】
次に、ステップＳ１３において、トリガ送信部２４は、トリガ生成部２３が供給するトリガ信号を取り込み、このトリガ信号をトリガ送信基地局４０に送信する。
次に、ステップＳ１４において、応答受信部２５は、後述するステップＳ４４の処理によってデータ通信部６４が送信し、データ通信基地局５０が中継したトリガ応答信号を受信し、このトリガ応答信号を制御部２６に供給する。
【００４４】
次に、表示装置６０の動作について説明する。
ステップＳ４１において、トリガ受信部６２は、ステップＳ１３の処理によってトリガ送信部２４が送信し、トリガ送信基地局４０が中継したトリガ信号を受信することによって電力を発生させる。次に、トリガ受信部６２は、発生させた電力によって動作し、トリガ信号から識別情報を復調し、この識別情報と発生させた電力を電池制御部６３に供給する。
【００４５】
次に、ステップＳ４２において、電池制御部６３は、トリガ受信部６２が供給する識別情報を取り込み、この識別情報と記憶部に記憶された自装置識別情報とを比較する。そして、識別情報と自装置識別情報とが一致する場合（ステップＳ４２：ＹＥＳ）、電池制御部６３は、ステップＳ４３の処理に移す。一方、識別情報と自装置識別情報とが一致しない場合（ステップＳ４２：ＮＯ）、電池制御部６３は、ステップＳ４１の処理に戻す。
【００４６】
ステップＳ４３において、電池制御部６３は、表示装置６０をスリープモードからアクティブモードに切り換える。具体的に、電池制御部６３は、電池部６１から、データ通信部６４、制御部６５、および表示部６６への電力の供給を開始させる。次に、制御部６５は、電池部６１から電力の供給を受けて起動すると、電池制御部６３の記憶部から自装置識別情報を読み込む。
【００４７】
次に、ステップＳ４４において、制御部６５は、自装置識別情報を含めたトリガ応答信号をデータ通信部６４に供給する。次に、データ通信部６４は、制御部６５が供給するトリガ応答信号を取り込み、このトリガ応答信号をデータ信号基地局５０に送信する。
【００４８】
図５は、サーバ装置２０とアクティブモードに設定された表示装置６０との動作手順を示すフローチャートである。
まず、サーバ装置２０の動作について説明する。
ステップＳ６１において、制御部２６は、応答受信部２５が供給するトリガ応答信号を取り込み、このトリガ応答信号から識別情報を抽出する。次に、制御部２６は、その識別情報を含む表示情報を表示情報記憶部２２から読み込む。次に、制御部２６は、読み込んだ表示情報を用いてデータ信号を生成し、このデータ信号をデータ送信部２７に供給する。次に、データ送信部２７は、制御部２６が供給するデータ信号を取り込み、このデータ信号をデータ通信基地局５０に送信する。
【００４９】
次に、ステップＳ６２において、応答受信部２５は、後述するステップＳ８４の処理によってデータ通信部６４が送信し、データ通信基地局５０が中継したデータ応答信号を受信し、このデータ応答信号を制御部２６に供給する。次に、制御部２６は、応答受信部２５が供給するデータ応答信号を取り込み、このデータ応答信号から識別情報を抽出する。次に、制御部２６は、その識別情報を含む表示情報を表示情報記憶部２２から削除する。
【００５０】
次に、表示装置６０の動作について説明する。
ステップＳ８１において、データ通信部６４は、ステップＳ６１の処理においてデータ送信部２７が送信し、データ通信基地局５０で中継したデータ信号を受信する。次に、データ通信部６４は、そのデータ信号から表示情報を復調し、この表示情報を制御部６５に供給する。
【００５１】
次に、ステップＳ８２において、制御部６５は、データ通信部６４が供給する表示情報を取り込み、この表示情報に含まれる識別情報と、自装置識別情報とを比較する。そして、制御部６５は、識別情報と自装置識別情報とが一致する場合（ステップＳ８２：ＹＥＳ）にステップＳ８３の処理に移し、識別情報と自装置識別情報とが一致しない場合（ステップＳ８２：ＮＯ）にステップＳ８５の処理に移す。
【００５２】
次に、ステップＳ８３において、制御部６５は、表示情報に含まれる表示書換データで、表示部６６の表示を書き換える。
次に、ステップＳ８４において、制御部６５は、自装置識別情報を含めたデータ応答信号をデータ通信部６４に供給する。次に、データ通信部６４は、制御部６５が供給するデータ応答信号を取り込み、このデータ応答信号をデータ信号基地局５０に送信する。
【００５３】
次に、ステップＳ８５において、制御部６５は、停止指示を電池制御部６３に供給する。次に、電池制御部６３は、停止指示を取り込み、表示装置６０をアクティブモードからスリープモードに切り換える。具体的に、電池制御部６３は、制御部６５が供給する停止指示を取り込み、電池部６１から、データ通信部６４、制御部６５、および表示部６６への電力の供給を停止させる。
【００５４】
［第２の実施の形態］
図６は、本発明の第２実施形態におけるサーバ装置の機能構成を示すブロック図である。第１実施形態におけるサーバ装置２０と同一の構成については同一の符号を付すこととし、その説明を省略する。同図に示すように、サーバ装置２０ａは、サーバ装置２０に対して、トリガ生成部２３および制御部２６を、トリガ生成部２３ａおよび制御部２６ａに変更したものである。
【００５５】
トリガ生成部２３ａは、表示情報受信部２１が表示情報記憶部２２に表示情報を記憶させたことを契機としてトリガ信号を生成し、このトリガ信号をトリガ送信部２４に供給する。トリガ信号は、第１の周波数帯で振動する第１のバースト信号である。第１のバースト信号は、例えば、１３．５６ＭＨｚ帯（第１の周波数帯）で振動する正弦波である。
【００５６】
制御部２６ａは、応答受信部２５が供給するトリガ応答信号を取り込むと、表示情報記憶部２２から表示情報を読み込む。そして、制御部２６ａは、読み込んだ表示情報を用いてデータ信号を生成し、このデータ信号をデータ送信部２７に供給する。データ信号は、上記の第１の周波数帯よりも高い第２の周波数帯で振動する第２の搬送波（バースト信号）を、表示情報で変調して得られた信号である。第２の搬送波は、例えば、２．４ＧＨｚ帯（第２の周波数帯）で振動する正弦波である。データ信号の変調方式として、例えば、振幅偏移変調およびオンオフ変調が適用できる。
【００５７】
制御部２６ａは、図示しない計時部（時計）を内蔵している。制御部２６ａは、トリガ生成部２３ａがトリガ信号を生成したときから計時部による計時を開始する。そして、制御部２６ａは、第１の待ち時間（例えば、５秒間）が経過した場合であって、応答受信部２５から当該トリガ信号に対応するトリガ応答信号が供給されていない場合に、トリガ生成部２３ａに再度、トリガ信号を生成させ、トリガ送信部２４にトリガ信号を再送させる。制御部２６ａは、トリガ信号を生成した回数またはトリガ信号を送信した回数を計数する。そして、制御部２６ａは、その回数が第１の再送回数（例えば、３回）になった場合であって、応答受信部２５から当該トリガ信号に対応するトリガ応答信号が供給されていない場合に、トリガ信号の表示装置６０ａへの受け渡しがエラーになったと判断する。なお、サーバ装置２０ａは、そのエラーを示す情報を端末装置１０に送信してもよい。
【００５８】
また、制御部２６ａは、応答受信部２５が供給するデータ応答信号を取り込み、このデータ応答信号から識別情報を抽出する。そして、制御部２６ａは、その識別情報を含む表示情報を表示情報記憶部２２から削除する。
【００５９】
制御部２６ａは、データ信号を生成したときから計時部による計時を開始する。そして、制御部２６ａは、第２の待ち時間（例えば、８秒間）が経過した場合であって、応答受信部２５から当該データ信号に対応するデータ応答信号が供給されていない場合に、再度、データ信号を生成し、データ送信部２７にデータ信号を再送させる。制御部２６ａは、データ信号を生成した回数またはデータ信号を送信した回数を計数する。そして、制御部２６ａは、その回数が第２の再送回数（例えば、５回）になった場合であって、応答受信部２５から当該データ信号に対応するデータ応答信号が供給されていない場合に、データ信号の表示装置６０ａへの受け渡しがエラーになったと判断する。なお、サーバ装置２０ａは、そのエラーを示す情報を端末装置１０に送信してもよい。
【００６０】
図７は、第２実施形態における表示装置の機能構成を示すブロック図である。第１実施形態における表示装置６０と同一の構成については同一の符号を付すこととし、その説明を省略する。同図に示すように、表示装置６０ａは、表示装置６０に対して、トリガ受信部６２と電池制御部６３と制御部６５とを、トリガ受信部６２ａと電池制御部６３ａと制御部６５ａとに変更したものである。
【００６１】
トリガ受信部６２ａは、トリガ送信基地局４０が送信するトリガ信号を受信することによって電力を発生させる。つまり、トリガ受信部６２ａは、無線給電のインタフェースである。具体的に、トリガ受信部６２ａは、例えば、電波受信方式による無線給電を実現する。すなわち、トリガ受信部６２ａは、受信したトリガ信号の交流成分を整流回路で直流成分に変換してその直流電力を得る。トリガ受信部６２ａは、発生させた電力によって動作し、動作開始指示を電池制御部６３ａに供給する。なお、トリガ受信部６２は識別情報と合わせて発生させた電力も電池制御部６３に供給しても良い。
【００６２】
電池制御部６３ａは、トリガ受信部６２又は電池部６１から供給される電力により動作状態となり、その後の動作もトリガ受信部６２又は電池部６１から供給される電力により動作される。電池制御部６３ａは、表示装置６０ａを識別する自装置識別情報を、内蔵する記憶部（不図示）にあらかじめ記憶させている。電池制御部６３ａは、トリガ受信部６２ａが供給する動作開始指示を取り込むことにより、表示装置６０ａをスリープモードからアクティブモードに切り換える。具体的に、電池制御部６３ａは、トリガ受信部６２ａから動作開始指示を取り込んだことに応じて、電池部６１から、データ通信部６４、制御部６５ａ、および表示部６６への電力の供給を開始させる。
【００６３】
また、電池制御部６３ａは、制御部６５ａが供給する停止指示を取り込むと、表示装置６０ａをアクティブモードからスリープモードに切り換える。具体的に、電池制御部６３ａは、制御部６５ａが供給する停止指示を取り込むと、電池部６１から、データ通信部６４、制御部６５ａ、および表示部６６への電力の供給を停止又は最低限の供給に変更する。
【００６４】
制御部６５ａは、電池部６１から電力の供給を受けて起動すると、電池制御部６３ａの記憶部から自装置識別情報を読み込む。そして、制御部６５ａは、その自装置識別情報を含めたトリガ応答信号をデータ通信部６４に供給する。
【００６５】
また、制御部６５ａは、データ通信部６４が供給する表示情報を取り込むと、この表示情報に含まれる識別情報と、自装置識別情報とを比較する。識別情報と自装置識別情報とが一致する場合、制御部６５ａは、表示情報に含まれる表示書換データで、表示部６６の表示を書き換える。そして、制御部６５ａは、表示部６６の表示の書き換えを行った後、自装置識別情報を含めたデータ応答信号をデータ通信部６４に供給する。そして、制御部６５ａは、停止指示を電池制御部６３ａに供給する。一方、識別情報と自装置識別情報とが一致しない場合、制御部６５ａは、表示部６６の表示の書き換えを実行せず、停止指示を電池制御部６３ａに供給する。
【００６６】
このように構成することにより、サーバ装置２０ａは、複数の表示装置６０ａに対して一斉に起動をかけることとなる。しかし、トリガ信号の到達範囲は、信号の周波数帯および強さに応じて、トリガ送信部より数センチメートルから数メートル等の到達範囲である。よって、各到達範囲が重複しないように複数のトリガ送信基地局４０を配設することにより、トリガ送信基地局４０の配下にある表示装置６０ａのまとまりごとに、表示装置６０ａを起動させることができる。
【００６７】
図８は、第２実施形態における表示システムの動作手順を示すフローチャートである。ただし、第２実施形態において端末装置１０が実行する処理は、第１実施形態と同様であるため、そのフローチャートを省略する。また、トリガ送信基地局４０およびデータ通信基地局５０がそれぞれ実行するサーバ装置２０ａおよび表示装置６０ａ間の信号伝送の中継処理についても、図示を省略してある。
【００６８】
まず、サーバ装置２０ａの動作について説明する。
ステップＳ１１１において、表示情報受信部２１は、端末装置１０が送信した表示情報を受信し、この表示情報を表示情報記憶部２２に記憶させる。
次に、ステップＳ１１２において、トリガ生成部２３ａは、表示情報受信部２１が表示情報記憶部２２に表示情報を記憶させたことを契機としてトリガ信号を生成し、このトリガ信号をトリガ送信部２４に供給する。
次に、ステップＳ１１３において、トリガ送信部２４は、トリガ生成部２３ａが供給するトリガ信号を取り込み、このトリガ信号をトリガ送信基地局４０に送信する。
【００６９】
次に、ステップＳ１１４において、応答受信部２５は、後述するステップＳ１４３の処理によってデータ通信部６４が送信し、データ通信基地局５０が中継したトリガ応答信号を受信し、このトリガ応答信号を制御部２６ａに供給する。
次に、ステップＳ１１５において、制御部２６ａは、応答受信部２５が供給するトリガ応答信号を取り込むと、表示情報記憶部２２から表示情報を読み込む。次に、制御部２６ａは、読み込んだ表示情報を用いてデータ信号を生成し、このデータ信号をデータ送信部２７に供給する。次に、データ送信部２７は、制御部２６ａが供給するデータ信号を取り込み、このデータ信号をデータ通信基地局５０に送信する。
【００７０】
次に、ステップＳ１１６において、応答受信部２５は、後述するステップＳ１４７の処理によってデータ通信部６４が送信し、データ通信基地局５０が中継したデータ応答信号を受信し、このデータ応答信号を制御部２６ａに供給する。次に、制御部２６ａは、応答受信部２５が供給するデータ応答信号を取り込み、このデータ応答信号から識別情報を抽出する。次に、制御部２６ａは、その識別情報を含む表示情報を表示情報記憶部２２から削除する。
【００７１】
次に、表示装置６０ａの動作について説明する。
ステップＳ１４１において、トリガ受信部６２ａは、ステップＳ１１３の処理によってトリガ送信部２４が送信し、トリガ送信基地局４０が中継したトリガ信号を受信することによって電力を発生させる。次に、トリガ受信部６２ａは、発生させた電力によって動作し、動作開始指示と発生させた電力を電池制御部６３ａに供給する。
【００７２】
次に、ステップＳ１４２において、電池制御部６３ａは、トリガ受信部６２ａが供給する動作開始指示を取り込むことにより、表示装置６０ａをスリープモードからアクティブモードに切り換える。具体的に、電池制御部６３ａは、トリガ受信部６２ａから動作開始指示を取り込んだことに応じて、電池部６１からデータ通信部６４、制御部６５ａ、および表示部６６への電力の供給を開始させる。
【００７３】
次に、ステップＳ１４３において、制御部６５ａは、電池部６１から電力の供給を受けて起動すると、電池制御部６３ａの記憶部から自装置識別情報を読み込む。次に、制御部６５ａは、その自装置識別情報を含めたトリガ応答信号をデータ通信部６４に供給する。次に、データ通信部６４は、制御部６５が供給するトリガ応答信号を取り込み、このトリガ応答信号をデータ信号基地局５０に送信する。
【００７４】
次に、ステップＳ１４４において、データ通信部６４は、ステップＳ１１５の処理においてデータ送信部２７が送信し、データ通信基地局５０で中継したデータ信号を受信する。次に、データ通信部６４は、そのデータ信号から表示情報を復調し、この表示情報を制御部６５ａに供給する。
【００７５】
次に、ステップＳ１４５において、制御部６５ａは、データ通信部６４が供給する表示情報を取り込むと、この表示情報に含まれる識別情報と、自装置識別情報とを比較する。そして、制御部６５ａは、識別情報と自装置識別情報とが一致する場合（ステップＳ１４５：ＹＥＳ）にステップＳ１４６の処理に移し、識別情報と自装置識別情報とが一致しない場合（ステップＳ１４５：ＮＯ）にステップＳ１４８の処理に移す。
【００７６】
ステップＳ１４６において、制御部６５ａは、表示情報に含まれる表示書換データで、表示部６６の表示を書き換える。
【００７７】
次に、ステップＳ１４７において、制御部６５ａは、自装置識別情報を含めたデータ応答信号をデータ通信部６４に供給する。次に、データ通信部６４は、制御部６５ａが供給するデータ応答信号を取り込み、このデータ応答信号をデータ信号基地局５０に送信する。
【００７８】
次に、ステップＳ１４８において、制御部６５は、停止指示を電池制御部６３ａに供給する。次に、電池制御部６３ａは、停止指示を取り込むと、表示装置６０ａをアクティブモードからスリープモードに切り換える。具体的に、電池制御部６３ａは、制御部６５ａが供給する停止指示を取り込むと、電池部６１から、データ通信部６４、制御部６５ａ、および表示部６６への電力の供給を停止させる。
【００７９】
［第３の実施の形態］
図９は、本発明の第３実施形態におけるサーバ装置の機能構成を示すブロック図である。第１実施形態におけるサーバ装置２０と同一の構成については同一の符号を付すこととし、その説明を省略する。同図に示すように、サーバ装置２０ｂは、サーバ装置２０に対して、停止指示送信部２８を新たに備えるとともに、制御部２６を制御部２６ｂに変更したものである。
【００８０】
制御部２６ｂは、応答受信部２５が供給するトリガ応答信号を取り込み、このトリガ応答信号から識別情報を抽出する。そして、制御部２６ｂは、その識別情報を含む表示情報を表示情報記憶部２２から読み込む。そして、制御部２６ｂは、読み込んだ表示情報を用いてデータ信号を生成し、このデータ信号をデータ送信部２７に供給する。
【００８１】
制御部２６ｂは、図示しない計時部（時計）を内蔵している。制御部２６ｂは、トリガ生成部２３がトリガ信号を生成したときから計時部による計時を開始する。そして、制御部２６ｂは、第１の待ち時間（例えば、５秒間）が経過した場合であって、応答受信部２５から当該トリガ信号に対応するトリガ応答信号が供給されていない場合に、トリガ生成部２３に再度、トリガ信号を生成させ、トリガ送信部２４にトリガ信号を再送させる。制御部２６ｂは、トリガ信号を生成した回数またはトリガ信号を送信した回数を計数する。そして、制御部２６ｂは、その回数が第１の再送回数（例えば、３回）になった場合であって、応答受信部２５から当該トリガ信号に対応するトリガ応答信号が供給されていない場合に、トリガ信号の表示装置６０ｂへの受け渡しがエラーになったと判断する。なお、サーバ装置２０ｂは、そのエラーを示す情報を端末装置１０に送信してもよい。
【００８２】
また、制御部２６ｂは、応答受信部２５が供給するデータ応答信号を取り込み、このデータ応答信号から識別情報を抽出する。そして、制御部２６ｂは、その識別情報を含めた停止指示信号を生成し、この停止指示信号を停止指示送信部２８に供給する。また、制御部２６は、識別情報を含む表示情報を表示情報記憶部２２から削除する。
【００８３】
制御部２６ｂは、データ信号を生成したときから計時部による計時を開始する。そして、制御部２６ｂは、第２の待ち時間（例えば、８秒間）が経過した場合であって、応答受信部２５から当該データ信号に対応するデータ応答信号が供給されていない場合に、再度、データ信号を生成し、データ送信部２７にデータ信号を再送させる。制御部２６ｂは、データ信号を生成した回数またはデータ信号を送信した回数を計数する。そして、制御部２６ｂは、その回数が第２の再送回数（例えば、５回）になった場合であって、応答受信部２５から当該データ信号に対応するデータ応答信号が供給されていない場合に、データ信号の表示装置６０ｂへの受け渡しがエラーになったと判断する。なお、サーバ装置２０ｂは、そのエラーを示す情報を端末装置１０に送信してもよい。
【００８４】
停止指示送信部２８は、制御部２６ｂが供給する停止指示信号を取り込み、この停止指示信号をデータ通信基地局５０に送信する。
【００８５】
図１０は、第３実施形態における表示装置の機能構成を示すブロック図である。第１実施形態における表示装置６０と同一の構成については同一の符号を付すこととし、その説明を省略する。同図に示すように、表示装置６０ｂは、表示装置６０に対して、制御部６５を制御部６５ｂに変更したものである。
【００８６】
制御部６５ｂは、電池部６１から電力の供給を受けて起動すると、電池制御部６３の記憶部から自装置識別情報を読み込む。そして、制御部６５ｂは、その自装置識別情報を含めたトリガ応答信号をデータ通信部６４に供給する。
【００８７】
また、制御部６５ｂは、データ通信部６４が供給する表示情報を取り込むと、この表示情報に含まれる識別情報と、自装置識別情報とを比較する。識別情報と自装置識別情報とが一致する場合、制御部６５ｂは、表示情報に含まれる表示書換データで、表示部６６の表示を書き換える。そして、制御部６５ｂは、表示部６６の表示の書き換えを行った後、サーバ装置２０ｂから取得すべき全てのデータを取り込んだか否かを判定する。例えば、表示部６６が複数レイヤの画面構造を有している場合に、制御部６５ｂは、複数レイヤ全てについて書き換えを行ったか否かを判定する。制御部６５ｂは、取得すべき全てのデータを取り込んだと判定した場合、自装置識別情報を含めたデータ応答信号をデータ通信部６４に供給する。また、制御部６５ｂは、取得すべき全てのデータを取り込んでいないと判定した場合、データ応答信号の供給を行わない。一方、識別情報と自装置識別情報とが一致しない場合、制御部６５ｂは、取り込んだ表示情報を破棄する。
【００８８】
また、制御部６５ｂは、データ通信部６４が供給する停止指示信号を取り込み、この表示情報に含まれる識別情報と、自装置識別情報とを比較する。識別情報と自装置識別情報とが一致する場合、制御部６５ｂは、停止指示を電池制御部６３に供給する。一方、識別情報と自装置識別情報とが一致しない場合、制御部６５ｂは、取り込んだ停止指示信号を破棄する。
【００８９】
図１１は、第３実施形態における表示システムにおいて、サーバ装置２０ｂが表示装置６０ｂに二段階でデータ信号を送信する場合の、動作手順を示すフローチャートである。ただし、第３実施形態において、サーバ装置２０ｂが表示装置６０ｂにトリガ信号を送信する処理は、第１実施形態と同様であるため、そのフローチャートを省略する。また、トリガ送信基地局４０およびデータ通信基地局５０がそれぞれ実行するサーバ装置２０ｂおよび表示装置６０ｂ間の信号伝送の中継処理についても、図示を省略してある。
【００９０】
まず、サーバ装置３０ｂの動作について説明する。制御部２６ｂが応答受信部２５からトリガ応答信号を取り込むと、図１１に示したフローチャートの処理が実行される。
ステップＳ１６１において、制御部２６ｂは、表示情報記憶部２２から第１の表示情報を読み込む。この第１の表示情報は、識別情報と第１の表示書換データとが含んでいる。次に、制御部２６ｂは、読み込んだ第１の表示情報を用いて第１のデータ信号を生成し、この第１のデータ信号をデータ送信部２７に供給する。次に、制御部２６ｂは、計時部による計時を開始する。次に、データ送信部２７は、制御部２６ｂが供給する第１のデータ信号を取り込み、この第１のデータ信号をデータ通信基地局５０に送信する。
【００９１】
次に、ステップＳ１６２において、制御部２６ｂは、一定時間（例えば、１０秒間）が経過したか否かを判定し、一定時間が経過した場合（ステップＳ１６２：ＹＥＳ）は、計時を停止してステップＳ１６３の処理に移し、一定時間が経過していない場合（ステップＳ１６２：ＮＯ）はステップＳ１６２の処理による計時を継続する。
【００９２】
ステップＳ１６３において、制御部２６ｂは、表示情報記憶部２２から第２の表示情報を読み込む。この第２の表示情報は、第１の表示情報における識別情報と同一の識別情報と第２の表示書換データとが含んでいる。次に、制御部２６ｂは、読み込んだ第２の表示情報を用いて第２のデータ信号を生成し、この第２のデータ信号をデータ送信部２７に供給する。次に、制御部２６ｂは、計時部による計時を新たに開始する。次に、データ送信部２７は、制御部２６ｂが供給する第２のデータ信号を取り込み、この第２のデータ信号をデータ通信基地局５０に送信する。
【００９３】
次に、ステップＳ１６４において、応答受信部２５は、後述するステップＳ１８７の処理によってデータ通信部６４が送信し、データ通信基地局５０が中継したデータ応答信号を受信し、このデータ応答信号を制御部２６ｂに供給する。
【００９４】
次に、ステップＳ１６５において、制御部２６ｂは、応答受信部２５が供給するデータ応答信号を取り込み、このデータ応答信号から識別情報を抽出する。そして、制御部２６ｂは、その識別情報を含めた停止指示信号を生成し、この停止指示信号を停止指示送信部２８に供給する。次に、停止指示送信部２８は、制御部２６ｂが供給する停止指示信号を取り込み、この停止指示信号をデータ通信基地局５０に送信する。次に、制御部２６は、識別情報を含む表示情報を表示情報記憶部２２から削除する。
【００９５】
次に、表示装置６０ｂの動作について説明する。
ステップＳ１８１において、データ通信部６４は、ステップＳ１６１の処理においてデータ送信部２７が送信し、データ通信基地局５０で中継した第１のデータ信号を受信する。次に、データ通信部６４は、その第１のデータ信号から第１の表示情報を復調し、この第１の表示情報を制御部６５ｂに供給する。
【００９６】
次に、ステップＳ１８２において、制御部６５ｂは、データ通信部６４が供給する第１の表示情報を取り込み、この第１の表示情報に含まれる識別情報と、自装置識別情報とを比較する。そして、識別情報と自装置識別情報とが一致する場合（ステップＳ１８２：ＹＥＳ）、制御部６５ｂは、ステップＳ１８３の処理に移す。一方、識別情報と自装置識別情報とが一致しない場合（ステップＳ１８２：ＮＯ）、制御部６５ｂは、本フローチャートの処理を終了させる。
【００９７】
ステップＳ１８３において、制御部６５ｂは、第１の表示情報に含まれる第１の表示書換データで、表示部６６の第１の表示内容を書き換える。次に、制御部６５ｂは、表示部６６の表示の書き換えを行った後、サーバ装置２０ｂから取得すべき全てのデータを取り込んだか否かを判定する。ここでは、制御部６５ｂは、取得すべき全てのデータを取り込んでいないと判定した場合とする。
【００９８】
ステップＳ１８４において、データ通信部６４は、ステップＳ１６３の処理においてデータ送信部２７が送信し、データ通信基地局５０で中継した第２のデータ信号を受信する。次に、データ通信部６４は、その第２のデータ信号から第２の表示情報を復調し、この第２の表示情報を制御部６５ｂに供給する。
【００９９】
次に、ステップＳ１８５において、制御部６５ｂは、データ通信部６４が供給する第２の表示情報を取り込み、この第２の表示情報に含まれる識別情報と、自装置識別情報とを比較する。そして、識別情報と自装置識別情報とが一致する場合（ステップＳ１８５：ＹＥＳ）、制御部６５ｂは、ステップＳ１８６の処理に移す。一方、識別情報と自装置識別情報とが一致しない場合（ステップＳ１８５：ＮＯ）、制御部６５ｂは、本フローチャートの処理を終了させる。
【０１００】
ステップＳ１８６において、制御部６５ｂは、第２の表示情報に含まれる第２の表示書換データで、表示部６６の第２の表示内容を書き換える。次に、制御部６５ｂは、表示部６６の表示の書き換えを行った後、サーバ装置２０ｂから取得すべき全てのデータを取り込んだか否かを判定する。ここでは、制御部６５ｂは、取得すべき全てのデータを取り込んだと判定した場合とする。
【０１０１】
次に、ステップＳ１８７において、制御部６５ｂは、自装置識別情報を含めたデータ応答信号をデータ通信部６４に供給する。次に、データ通信部６４は、制御部６５ａが供給するデータ応答信号を取り込み、このデータ応答信号をデータ信号基地局５０に送信する。
【０１０２】
次に、ステップＳ１８８において、データ通信部６４は、ステップＳ１６５の処理においてデータ送信部２７が送信し、データ通信基地局５０で中継した停止指示信号を受信する。次に、データ通信部６４は、その停止指示信号を制御部６５ｂに供給する。
【０１０３】
次に、ステップＳ１８９において、制御部６５ｂは、データ通信部６４が供給する停止指示信号を取り込み、この表示情報に含まれる識別情報と、自装置識別情報とを比較する。ここでは、識別情報と自装置識別情報とが一致する場合とする。制御部６５ｂは、停止指示を電池制御部６３に供給する。次に、電池制御部６３は、停止指示を取り込むと、表示装置６０ｂをアクティブモードからスリープモードに切り換える。具体的に、電池制御部６３は、制御部６５ｂが供給する停止指示を取り込むと、電池部６１からデータ通信部６４、制御部６５ｂ、および表示部６６への電力の供給を停止させる。
【０１０４】
［第４の実施の形態］
図１２は、本発明の第４実施形態におけるサーバ装置の機能構成を示すブロック図である。第１実施形態におけるサーバ装置２０と同一の構成については同一の符号を付すこととし、その説明を省略する。同図に示すように、サーバ装置２０ｃは、サーバ装置２０に対して、送信回数記憶部２９およびアラーム送信部３０を新たに備えるとともに、制御部２６を制御部２６ｃに変更したものである。
【０１０５】
送信回数記憶部２９は、表示装置６０ごとに、識別情報とデータ信号の送信回数とを関連付けた送信回数情報を記憶する。送信回数記憶部２９は、例えば、磁気ハードディスク装置、半導体ディスク装置により実現される。
【０１０６】
制御部２６ｃは、応答受信部２５が供給するトリガ応答信号を取り込み、このトリガ応答信号から識別情報を抽出する。そして、制御部２６ｃは、その識別情報を含む表示情報を表示情報記憶部２２から読み込む。そして、制御部２６ｃは、読み込んだ表示情報を用いてデータ信号を生成し、このデータ信号をデータ送信部２７に供給する。
【０１０７】
制御部２６ｃは、図示しない計時部（時計）を内蔵している。制御部２６ｃは、トリガ生成部２３がトリガ信号を生成したときから計時部による計時を開始する。そして、制御部２６ｃは、第１の待ち時間（例えば、５秒間）が経過した場合であって、応答受信部２５から当該トリガ信号に対応するトリガ応答信号が供給されていない場合に、トリガ生成部２３に再度、トリガ信号を生成させ、トリガ送信部２４にトリガ信号を再送させる。制御部２６ｃは、トリガ信号を生成した回数またはトリガ信号を送信した回数を計数する。そして、制御部２６ｃは、その回数が第１の再送回数（例えば、３回）になった場合であって、応答受信部２５から当該トリガ信号に対応するトリガ応答信号が供給されていない場合に、トリガ信号の表示装置６０への受け渡しがエラーになったと判断する。なお、サーバ装置２０ｃは、そのエラーを示す情報を端末装置１０に送信してもよい。
【０１０８】
また、制御部２６ｃは、生成したデータ信号をデータ送信部２７に供給するたびに、送信回数記憶部２９に記憶された送信回数情報において、識別情報に関連付けられた送信回数を“１”だけ増加させて更新する。この際に、制御部２６ｃは、更新した送信回数情報における送信回数が所定の限度回数を超えた場合に、その送信回数情報を送信回数記憶部２９から読み込み、その送信回数情報を含めたアラーム情報を生成し、このアラーム情報をアラーム送信部３０に供給する。
【０１０９】
また、制御部２６ｃは、応答受信部２５が供給するデータ応答信号を取り込み、このデータ応答信号から識別情報を抽出する。そして、制御部２６ｃは、その識別情報を含む表示情報を表示情報記憶部２２から削除する。
【０１１０】
制御部２６ｃは、データ信号を生成したときから計時部による計時を開始する。そして、制御部２６ｃは、第２の待ち時間（例えば、８秒間）が経過した場合であって、応答受信部２５から当該データ信号に対応するデータ応答信号が供給されていない場合に、再度、データ信号を生成し、データ送信部２７にデータ信号を再送させる。制御部２６ｃは、データ信号を生成した回数またはデータ信号を送信した回数を計数する。そして、制御部２６ｃは、その回数が第２の再送回数（例えば、５回）になった場合であって、応答受信部２５から当該データ信号に対応するデータ応答信号が供給されていない場合に、データ信号の表示装置６０への受け渡しがエラーになったと判断する。なお、サーバ装置２０ｃは、そのエラーを示す情報を端末装置１０に送信してもよい。
【０１１１】
アラーム送信部３０は、制御部２６ｃが供給するアラーム情報を取り込み、このアラーム情報を端末装置１０に送信する。
【０１１２】
図１３は、第４実施形態におけるサーバ装置２０ｃの動作手順を示すフローチャートである。制御部２６ｃが応答受信部２５からトリガ応答信号を取り込み、同図に示したフローチャートの処理が実行される。
ステップＳ２６１において、制御部２６ｃは、応答受信部２５から取り込んだトリガ応答信号から識別情報を抽出する。次に、制御部２６ｃは、その識別情報を含む表示情報を表示情報記憶部２２から読み込む。次に、制御部２６ｃは、読み込んだ表示情報を用いてデータ信号を生成し、このデータ信号をデータ送信部２７に供給する。次に、データ送信部２７は、制御部２６ｃが供給するデータ信号を取り込み、このデータ信号をデータ通信基地局５０に送信する。
【０１１３】
次に、ステップＳ２６２において、制御部２６ｃは、送信回数記憶部２９に記憶された送信回数情報において、識別情報に関連付けられた送信回数を“１”だけ増加させて更新する。
【０１１４】
次に、ステップＳ２６３において、制御部２６ｃは、更新した送信回数情報における送信回数が所定の限度回数を超えたか否かを判定する。そして、更新した送信回数が限度回数を超えた場合（ステップＳ２６３：ＹＥＳ）、制御部２６ｃは、ステップＳ２６４の処理に移す。一方、更新した送信回数が限度回数以下である場合（ステップＳ２６３：ＮＯ）、制御部２６ｃは、ステップＳ２６５の処理に移す。
【０１１５】
ステップＳ２６４において、制御部２６ｃは、更新した送信回数情報を送信回数記憶部２９から読み込み、その送信回数情報を含めたアラーム情報を生成し、このアラーム情報をアラーム送信部３０に供給する。次に、アラーム送信部３０は、制御部２６ｃが供給するアラーム情報を取り込み、このアラーム情報を端末装置１０に送信する。なお、端末装置１０は、アラーム送信部３０が送信するアラーム情報を受信すると、このアラーム情報を表示させる。
【０１１６】
次に、ステップＳ２６５において、応答受信部２５は、表示装置６０のデータ通信部６４が送信し、データ通信基地局５０が中継したデータ応答信号を受信し、このデータ応答信号を制御部２６ｃに供給する。次に、制御部２６ｃは、応答受信部２５が供給するデータ応答信号を取り込み、このデータ応答信号から識別情報を抽出する。次に、制御部２６ｃは、その識別情報を含む表示情報を表示情報記憶部２２から削除する。
【０１１７】
以上詳述したとおり、本発明の第１実施形態から第４実施形態において、表示装置は、受信したトリガ信号に基づいて電力を発生させるトリガ受信部と、このトリガ受信部が発生させた電力に基づいて、電池部から、制御部、データ通信部、および表示部への電力の供給を開始させる（スリープモードからアクティブモードへの移行。）電池制御部と、を備えた。そして、電池部から、制御部、データ通信部、および表示部への電力の供給開始後、制御部が、データ通信部により受信するデータを取り込み、このデータを表示部に表示させるようにした。すなわち、各実施形態における表示装置は、トリガ信号を用いた無線給電によって、スリープモードからアクティブモードへの切り換えを行うものである。
【０１１８】
このように構成したことにより、表示装置がスリープモードであるとき、および表示装置がトリガ信号を受信してアクティブモードに切り換えるときにおける、電池部からの電力消費が殆どなく、電池部の極めて優れた省電力化を実現することができる。
【０１１９】
各実施形態における表示装置および表示システムは、例えば、商品の販売店舗において用いられる電子棚札（電子値札）およびそのシステム、倉庫の物流ラインや工場の製造ラインにおいて用いられる電子看板およびそのシステムに適用することができる。
【０１２０】
なお、上述した第１実施形態から第４実施形態において、トリガ信号におけるバースト部分の周波数帯（第１の周波数帯）は、例えば、１２５ＫＨｚ帯，１３．５６ＭＨｚ帯である。また、データ信号における搬送波の周波数帯（第２の周波数帯）は、例えば、３００ＭＨｚ帯，４２０ＭＨｚ帯，４３３ＭＨｚ帯，９１５ＭＨｚ帯，２．４５ＧＨｚ帯である。また、第２の周波数帯が第１の周波数帯よりも高くなるように第１の周波数帯と第２の周波数帯とを組み合わせるのが好ましい。このようにすることにより、トリガ信号を用いた無線給電によるスリープモードからアクティブモードへの高速な切り替えと、効率のよいデータ信号の伝送とを両立させることができる。
【０１２１】
また、第４実施形態において、表示装置６０が電池部６１の電池容量値をサーバ装置２０ｃに通知し、サーバ装置２０ｃがその電池容量値に応じて端末装置１０にアラーム情報を送信するようにしてもよい。これを実現するために、電池制御部６３は、電池部６１の電池容量を検出して電池容量値を示す電池容量情報を制御部６５に供給する。また、制御部６５は、電池制御部６３が供給する電池容量情報をデータ通信部６４に送信させる。また、サーバ装置２０ｃは、電池容量情報を受信し、この電池容量情報が示す電池容量値が所定の容量値よりも低い場合に、アラーム情報をアラーム送信部３０から送信させる。
【０１２２】
以上、本発明の実施の形態について図面を参照して詳述したが、具体的な構成はその実施形態に限られるものではなく、本発明の要旨を逸脱しない範囲の設計等も含まれる。
【符号の説明】
【０１２３】
１０  端末装置
２０，２０ａ，２０ｂ，２０ｃ  サーバ装置（管理装置）
２１  表示情報受信部
２２  表示情報記憶部
２３，２３ａ  トリガ生成部
２４  トリガ送信部
２５  応答受信部
２６，２６ａ，２６ｂ，２６ｃ  制御部
２７  データ送信部
２８  停止指示送信部
２９  送信回数記憶部
３０  アラーム送信部
４０  トリガ送信基地局
５０  データ通信基地局
６０−１，６０−２，６０−３  表示装置
６１  電池部
６２，６２ａ  トリガ受信部
６３，６３ａ  電池制御部
６４  データ通信部
６５，６５ａ，６５ｂ  制御部
６６  表示部
【図１】
2014155179.tif 000003
【図２】
2014155179.tif 000004
【図３】
2014155179.tif 000005
【図４】
2014155179.tif 000006
【図５】
2014155179.tif 000007
【図６】
2014155179.tif 000008
【図７】
2014155179.tif 000009
【図８】
2014155179.tif 000010
【図９】
2014155179.tif 000011
【図１０】
2014155179.tif 000012
【図１１】
2014155179.tif 000013
【図１２】
2014155179.tif 000014
【図１３】
2014155179.tif 000015